(57)【要約】【課題】ヒートポンプユニットの据え付け時に、脚部の前端部と後端部のボルト固定部を軽い労力で短時間で能率的にボルトに係合させ得るようにしたヒートポンプ給湯装置を提供する。【解決手段】圧縮機と凝縮熱交換器と膨張手段と蒸発熱交換器とを冷媒回路で接続したヒートポンプ回路を内蔵した外装ケースを有し且つこの外装ケースの前面に空気排出口を有し、貯湯タンクからの入水を前記ヒートポンプ回路で加熱して貯湯するヒートポンプ給湯装置であって、圧縮機を外装ケース内部の左右方向の一端部寄り部位に配置してなるヒートポンプ給湯装置において、ケース部材の底部には、土台部(50)に設けられたアンカーボルト(51)で固定する為の左右１対の脚部(52)が設けられ、脚部(52)には左方と右方のうちの何れか一方向に向けて開口した複数の切欠き状のボルト固定部(54)が設けられている。【選択図】図４
2017044450.tif 000002
【特許請求の範囲】
【請求項１】
圧縮機と凝縮熱交換器と膨張手段と蒸発熱交換器とを冷媒回路で接続したヒートポンプ回路を内蔵したケース部材を有し且つこのケース部材の前面に空気排出口を有し、貯湯タンクからの入水を前記ヒートポンプ回路で加熱して貯湯するヒートポンプ給湯装置であって、前記圧縮機を前記ケース部材内部の左右方向の一端部寄り部位に配置してなるヒートポンプ給湯装置において、  
前記ケース部材の底部には、土台部に設けられたアンカーボルトで固定する為の左右１対の脚部が設けられ、
前記脚部には左方と右方のうちの何れか一方向に向けて開口した複数の切欠き状のボルト固定部が設けられていることを特徴とするヒートポンプ給湯装置。
【請求項２】
前記切欠き状のボルト固定部の開口部は、ボルト固定部の左右方向中心に対して前記圧縮機が配置されている前記一端部側と反対側に形成されていることを特徴とする請求項１に記載のヒートポンプ給湯装置。
【発明の詳細な説明】
【技術分野】
【０００１】
本発明は、ヒートポンプ給湯装置に関し、特にヒートポンプ回路を収容するケース部材の脚部を土台部にボルトで固定する固定部の構造を改善したものに関する。
【背景技術】
【０００２】
圧縮機と凝縮熱交換器と膨張手段と蒸発熱交換器とを冷媒回路で接続したヒートポンプ回路を内蔵したケース部材を有し且つこのケース部材の前面に空気排出口を有し、貯湯タンクからの入水を前記ヒートポンプ回路で加熱して貯湯するヒートポンプ給湯装置は広く実用に供されている。
【０００３】
一般に、前記ケース部材の内部の左端側部分又は右端側部分と中央部には、送風機と蒸発熱交換器等が配置され、圧縮機と膨張手段等が前記ケース部材内部の左右方向の一端部寄り部位（右端側部分又は左端側部分）に配置されている。
【０００４】
図７〜図９は本願出願人が実施している従来技術に関するもので、図７はヒートポンプ回路とケース部材を含むヒートポンプユニット１００の平面図、図８はケース部材１０１の底部に固定された左右１対の脚部１０２の片方を拡大図示した平面図、図９はヒートポンプユニット１００を据え付ける土台部を構成する据置台１０３の斜視図である。
【０００５】
図８に示すように、脚部１０２の後端部には後方に向けて開口した切欠き部からなるボルト固定部１０２ｂが形成され、脚部１０２の前端部にはボルト穴からなるボルト固定部１０２ａが形成されている。左右１対の脚部１０２がケース部材１０１の底部に固定され、ケース部材１０１の底部の前端からボルト固定部１０２ａが前方へ突出し、ケース部材１０１の底部の後端からボルト固定部１０２ｂが後方へ突出している。
１対の据置台１０３の上にヒートポンプユニット１００の１対の脚部１０２を載置し、据置台１０３から突出させた４本のボルト（図示略）によりボルト固定部１０２ａ，１０２ｂが固定されている。
【０００６】
特許文献１に記載のヒートポンプ給湯装置においては、ヒートポンプユニットのケース部材の底部に固定した脚部の前端部と後端部の固定部に、合成樹脂製のカバーを被せたり、ゴム製のカバーを被せた合成樹脂製のカバーを被せたりすることで、振動や騒音の低減を図りつつ安全性を高めている。
【先行技術文献】
【特許文献】
【０００７】
【特許文献１】特開２０１０−８５０４３号公報
【発明の概要】
【発明が解決しようとする課題】
【０００８】
図７〜図９に示す従来技術では、脚部の前端のボルト固定部がボルト穴からなるボルト固定部であるため、ヒートポンプユニットを据え付ける際に、重量物であるヒートポンプユニットを持ち挙げ、前側の２本のボルトをボルト固定部のボルト穴に挿通させ、後側の２本のボルトをボルト固定部の切欠き部に係合させなければならない。
【０００９】
特に、ヒートポンプユニットは圧縮機を内蔵する側（例えば、右端側）の重量が大きいため、ヒートポンプユニットを持ち挙げた際に圧縮機側が低くなりがちになるため、２本のボルトを同時に２つのボルト穴に挿通させるのは非常に難しい。
据置台として図９に図示のものを採用する場合も多いが、この場合、据置台側にセットしたボルトが動き易いため、ヒートポンプユニットの据え付け作業が一層難しくなる。
【００１０】
特許文献１に記載のヒートポンプ給湯装置のヒートポンプユニットの脚部の後端部には後方へ向けて開口した切欠き状のボルト固定部を形成し、脚部の前端部には前方へ向けて開口した切欠き状のボルト固定部を形成しているため、仮にアンカーボルトを固定的に設けておく場合には、ヒートポンプユニットの据え付けの際には、前記と同様に、ヒートポンプユニットを持ち挙げて据え付けることになるため、多大の労力を要する。
【００１１】
本発明の目的は、ヒートポンプユニットの据え付け時に、脚部の前端部と後端部のボルト固定部を軽い労力で短時間で能率的にボルトに係合させ得るようにしたヒートポンプ給湯装置を提供することである。
【課題を解決するための手段】
【００１２】
請求項１のヒートポンプ給湯装置は、圧縮機と凝縮熱交換器と膨張手段と蒸発熱交換器とを冷媒回路で接続したヒートポンプ回路を内蔵したケース部材を有し且つこのケース部材の前面に空気排出口を有し、貯湯タンクからの入水を前記ヒートポンプ回路で加熱して貯湯するヒートポンプ給湯装置であって、前記圧縮機を前記ケース部材内部の左右方向の一端部寄り部位に配置してなるヒートポンプ給湯装置において、前記ケース部材の底部には、土台部に設けられたアンカーボルトで固定する為の左右１対の脚部が設けられ、前記脚部には左方と右方のうちの何れか一方向に向けて開口した複数の切欠き状のボルト固定部が設けられていることを特徴としている。
【００１３】
請求項２のヒートポンプ給湯装置は、請求項１の発明において、前記切欠き状のボルト固定部の開口部は、ボルト固定部の左右方向中心に対して前記圧縮機が配置されている前記一端部側と反対側に形成されていることを特徴としている。
【発明の効果】
【００１４】
請求項１の発明によれば、ヒートポンプ回路を内蔵したケース部材を有すると共にこのケース部材の前面に空気排出口を有し、前記圧縮機を前記ケース部材内部の左右方向の一端部寄り部位に配置してなるヒートポンプ給湯装置において、前記ケース部材の底部には、土台部に設けられたアンカーボルトで固定する為の左右１対の脚部が設けられ、前記脚部には左方と右方のうちの何れか一方向に向けて開口した複数の切欠き状のボルト固定部が設けられているため次の効果を奏する。
【００１５】
ヒートポンプ回路とケース部材とを含むヒートポンプユニットを土台部の上に据え付ける際に、ヒートポンプユニットの脚部に形成した切欠き状の複数のボルト固定部の開口部を土台部の複数のボルトに接近対向又は不完全に係合するように、ヒートポンプユニットを土台部の上に載置し、次にヒートポンプユニットを僅かに左方又は右方へ押動させることにより、複数のボルト固定部に複数のボルトを係合させることができる。
そのため、従来のようにヒートポンプユニットを持ち挙げた状態にして、ボルト穴にボルトを挿通させる従来技術と比較して、軽い労力で短時間で能率的にヒートポンプユニットを据え付けることができる。
【００１６】
請求項２の発明によれば、前記切欠き状のボルト固定部の開口部は、ボルト固定部の左右方向中心に対して前記圧縮機が配置されている前記一端部側と反対側に形成されているため次の効果を奏する。
ヒートポンプユニットを土台部の上に載置する際に、圧縮機が重いため前記一端部側が低くなるようにヒートポンプユニットが傾斜状態になったとしても、複数のボルト固定部を複数のボルトに接近対向又は不完全に係合させることが容易であるから、複数のボルト固定部に複数のボルトを容易に係合させることができる。
【図面の簡単な説明】
【００１７】
【図１】本発明の実施例に係るヒートポンプ給湯装置の概略構成図である。
【図２】ヒートポンプユニットの斜視図である。
【図３】ヒートポンプユニットの正面図である。
【図４】ヒートポンプユニットの平面図である。
【図５】脚部の平面図である。
【図６】（ａ）はヒートポンプユニットの据え付け開始時の動作説明図、（ｂ）はヒートポンプユニットを土台部上に載置した時の動作説明図、（ｃ）はヒートポンプユニットを移動させてボルト固定部をボルトに係合させた状態の動作説明図である。
【図７】従来技術に係る図４相当図である。
【図８】従来技術に係る図５相当図である。
【図９】従来技術に係る据置台の斜視図である。
【発明を実施するための形態】
【００１８】
以下、本発明を実施するための形態について実施例に基づいて説明する。
【実施例１】
【００１９】
先ず、本発明のヒートポンプ給湯装置１の全体構成について説明する。
図１に示すように、ヒートポンプ給湯装置１は、湯水を貯留する貯湯タンク５を備えた貯湯タンクユニット２、貯湯タンク５の湯水の加熱を行うヒートポンプユニット３、ヒートポンプ給湯装置１を制御する制御ユニット４、貯湯タンクユニット２とヒートポンプユニット３との間に湯水を循環させる循環用配管８ａ，８ｂ等から構成されている。
【００２０】
図１に示すように、貯湯タンクユニット２は、貯湯タンク５、各種の配管６，７、循環用配管８ａ，８ｂ、湯水循環ポンプ１１、開閉弁１２、混合弁１３、主制御ユニット１６、外装ケース１７等を備えている。貯湯タンク５は、ヒートポンプユニット３で加熱された高温の湯水（例えば、６５〜９０℃）を貯留するものである。
【００２１】
貯湯タンク５の下端部には、給水配管６と循環用配管８ａとが接続されている。貯湯タンク５の上端部には、循環用配管８ｂと出湯配管７とが接続され、循環用配管８ｂから戻された高温の湯水を貯湯タンク５内に貯留し、給湯時には貯湯タンク５内の高温の湯水を出湯配管７に供給することができる。
【００２２】
貯湯タンク５には、複数の温度センサ５ａ〜５ｄが高さ方向所定間隔おきの位置に配置され、温度センサ５ａ〜５ｄの温度検出信号が主制御ユニット１６に供給される。外装ケース１７は、薄鋼板製の箱状に形成され、貯湯タンク５、各種の配管６，７、循環用配管８ａ，８ｂの一部分、湯水循環ポンプ１１、開閉弁１２、混合弁１３、各種の温度センサ１５ａ〜１５ｄ、主制御ユニット１６等を収容している。
【００２３】
次に、ヒートポンプユニット３について説明する。
図１に示すように、ヒートポンプユニット３は、冷媒により湯水を加熱する為のヒートポンプ式熱源機２０、主制御ユニット１６に接続され且つヒートポンプ式熱源機２０を制御する為の補助制御ユニット３３、これらを一体的に収納する為の外装ケース３５（ケース部材）等を備えている。
【００２４】
ヒートポンプ式熱源機２０は、圧縮機２１、湯水加熱用の凝縮熱交換器２２、高圧の冷媒を急膨張させて温度と圧力を下げる膨張弁２３（膨張手段）、外気熱吸収用の蒸発熱交換器２４を有し、これら機器２１〜２４が冷媒配管２５を介して接続されてヒートポンプ回路を構成し、冷媒配管２５に封入された冷媒を利用して貯湯運転を行う。ヒートポンプ式熱源機２０には、送風モータ２７ａで駆動される蒸発熱交換器用の送風ファン２７も設けられている。
【００２５】
最初に、外装ケース３５の構造について説明する。
図２，図３に示すように、外装ケース３５は、薄鋼板製の箱状に形成され、左右１対の側板４１，４２と、前側板４３と、後側板４４と、天板４５と、底板４６とを備えている。外装ケース３５の内部は、複数の仕切り板によって送風室と機械室と給湯加熱室とに区画されている。複数の仕切り板は、鉛直の縦仕切り板と水平な横仕切り板と有し、夫々が薄鋼板製のものである。
【００２６】
前記外装ケース３５内が縦仕切り板を介して送風室と機械室とに区画され、送風室は、外装ケース３５内の左端寄り部分と中央部分とに形成され、この送風室内に送風ファン２７等が配置されている。前記機械室は外装ケース３５内の右端寄り部位に形成され、この機械室内には、図３に符号Ｍで示すように圧縮機２１と膨張弁２３と配管類が装備されている。外装ケース３５内の上端側部分には、横仕切り板を介して給湯加熱室が形成され、この給湯加熱室に凝縮熱交換器２２が配置されている。
【００２７】
前側板４３（外装ケース３５の前面）には空気排出口４３ａが形成され、この空気排出口４３ａの前面には金網状のカバー部材４３ｂが設けられている。前側板４３の内面側には空気流をガイドするベルマウス４３ｃが設けられている。送風ファン２７を駆動すると、左側板４１と後側板４４に夫々形成された外気取込用開口部から外気が取り込まれ、蒸発熱交換器２４で冷媒と熱交換されて低温の空気となり、前側の空気排出口４３ａから外部に排出される。
【００２８】
次に、ヒートポンプユニット３の各種機器（外装ケース３５内の各種機器）について説明する。
圧縮機２１は、気相状態の冷媒を断熱圧縮して温度上昇させる公知の密閉型圧縮機である。凝縮熱交換器２２は、循環用配管８ａ，８ｂ間に設置された熱交換器通路部２２ａと、冷媒配管２５の一部となる内部通路２２ｂとを有する二重管で構成されている。この凝縮熱交換器２２において、内部通路２２ｂを流れる冷媒と循環用配管８ａから熱交換器通路部２２ａに供給される湯水との間で熱交換され、湯水は加熱され冷媒は冷却され液化する。
【００２９】
膨張弁２３は、液相状態の冷媒を断熱膨張させ温度低下させる。この膨張弁２３は、絞り量が可変な制御弁からなる。但し、絞り量が一定の膨張弁を採用しても良い。
【００３０】
蒸発熱交換器２４は、冷媒配管２５に含まれる蒸発器通路部２４ａを有し、この蒸発器通路部２４ａは伝熱管と複数のフィンとを備えている。この蒸発熱交換器２４において、蒸発器通路部２４ａを流れる冷媒と外気との間で熱交換され、冷媒は外気から吸熱して気化する。蒸発熱交換器２４は、左側板４１と後側板４４の内面に沿うように平面視Ｌ字状に構成されている。
【００３１】
冷媒配管２５は、圧縮機２１の吐出側と凝縮熱交換器２２の入口側とを接続する冷媒通路２５ａ，凝縮熱交換器２２の出口側と膨張弁２３の入口側とを接続する冷媒通路２５ｂ，膨張弁２３の出口側と蒸発熱交換器２４の入口側とを接続する冷媒通路２５ｃ，蒸発熱交換器２４の出口側と圧縮機２１の導入側とを接続する冷媒通路２５ｄを備えている。
【００３２】
図１に示すように、送風ファン２７は、送風モータ２７ａと、この送風モータ２７ａによって回動駆動される複数の羽根部材とを有し、支持金具を介して底板４６と横仕切り板とに支持されている。
【００３３】
ヒートポンプ式熱源機２０の貯湯運転時には、圧縮機２１により高圧に圧縮された加熱状態の冷媒は、凝縮熱交換器２２に送られ、湯水循環ポンプ１１の駆動により貯湯タンク５の下端部から循環用配管８ａを経て熱交換器通路部２２ａに流入した水と熱交換してその水を暖め、温度低下して液化した冷媒は膨張弁２３に送られ、加熱された湯水が循環用配管８ｂを通って貯湯タンクユニット２の貯湯タンク５に貯留され、ヒートポンプ式熱源機２０を経由する加熱動作を繰り返すことで貯湯タンク５に高温の湯水が貯留される。
【００３４】
次に、制御ユニット４について説明する。
図１に示すように、ヒートポンプ給湯装置１は、主制御ユニット１６と補助制御ユニット３３からなる制御ユニット４によって制御される。各種の温度センサ等の検出信号が制御ユニット４に送信され、この制御ユニット４により、貯湯タンクユニット２とヒートポンプ式熱源機２０の動作、ポンプの作動・停止、各種の弁の開閉状態の切り換え及び開度調整等を制御し、各種運転（貯湯運転、給湯運転等）を実行する。
【００３５】
主制御ユニット１６は、ユーザーが操作可能な操作リモコン３６との間でデータ通信可能であり、操作リモコン３６のスイッチ操作により目標給湯温度が設定されると、その目標給湯温度データが操作リモコン３６から主制御ユニット１６に送信される。補助制御ユニット３３は、主制御ユニット１６との間でデータ通信可能であり、主制御ユニット１６からの指令に従ってヒートポンプ式熱源機２０の各種機器（圧縮機２１、膨張弁２３、送風モータ２７ａ等）の駆動制御を行う。
【００３６】
次に、ヒートポンプユニット３を土台部５０に固定する本願特有のアンカー構造について図２〜図６に基づいて説明する。
外装ケース３５の底板４６（底部）の下面には、土台部５０に設けられたアンカーボルト５１（図６参照）で固定する為の左右１対の脚部５２であって前後方向に細長い１対の脚部５２が固定されている。左側の脚部５２は外装ケース３５の左端寄り部位を支持するように前後方向向きに配置され、右側の脚部５２は外装ケース３５の右端寄り部位を支持するように前後方向向きに配置されている。本実施例の土台部５０は、図９に示す据置台１０３と同様の据置台で構成されている。
【００３７】
脚部５２は薄手の鋼板を打ち抜きプレス加工して製作したもので、前後に細長い矩形状の外形を有し、前部と後部には上方へ僅かに突出する長円形の係合凸部５３が形成され、これら係合凸部５３を底板４６の係合凹部に係合させて状態でビス止めやスポット溶接することで脚部５２が底板４６に固定されている。
【００３８】
図４、図５に示すように、脚部５２の前端部と後端部には、左方と右方のうちの何れか一方向（本実施例では左方）に向けて開口した１対の切欠き状のボルト固定部５４が設けられている。切欠き状のボルト固定部５４の開口部５４ａは、ボルト固定部５４の左右方向中心に対して圧縮機２１が配置されている前記一端部側（本実施例では右端部側）と反対側（つまり、左側）に形成されている。ボルト固定部５４は、土台部５０の溝部５０ａ（図６参照）にボルト頭部５１ａを係合させて上方へ鉛直に突出させたボルト５１を導入可能なＵ形の切欠き部で構成されている。
【００３９】
図３、図４に示すように、各脚部５２はその全長に亙って土台部５０の上面に載置され、前側のボルト固定部５４は底板４６の前端から前方へ突出し、後側のボルト固定部５４は底板４６の後端から後方へ突出し、ボルト固定部５４をボルト５１に右方から係合させた状態で、ボルト５１に螺合させたナット５１ｂを締結することで、脚部５２の前後両端部のボルト固定部５４が土台部５０に固定される。但し、図４には、ボルト５１とナット５１ｂが図示省略している。
【００４０】
次に、前記ヒートポンプユニット３のアンカー構造の作用、効果について説明する。    最初に、ヒートポンプユニット３を土台部５０の上に据え付ける際には、ヒートポンプユニット３を人手で持ち挙げて据え付けるものとする。このとき、図６（ａ）に示すように、ヒートポンプユニット３において重量の大きい圧縮機２１が装備されている右側部分が左側部分より低くなるように、ヒートポンプユニット３が傾斜状態になり易い。
【００４１】
その傾斜状態でヒートポンプユニット３を土台部５０の上に接近させ、図６（ｂ）に示すように、ヒートポンプユニット３の各脚部５２に形成した切欠き状の１対のボルト固定部５４の開口部５４ａを１対のボルト５１に右方から接近対向又は不完全に係合するように、ヒートポンプユニット３を土台部５０の上に載置する。次に、図６（ｃ）に示すように、ヒートポンプユニット３を左方へ少し押動させることにより、ボルト固定部５４にボルト５１を完全に係合させてから、各ボルト５１にナット５１ｂを締結することで脚部５２を土台部５０に固定する。こうして、軽い労力で短時間で能率的にヒートポンプユニット３を据え付けて固定することができる。
【００４２】
しかも、切欠き状のボルト固定部５４の開口部５４ａが左方に向って開口しているため、開口部５４ａが土台部５０のボルト頭部５１ａをセットする溝部５０ａと直交する方向に向って開口しているため、ヒートポンプユニット３を左方へ少し押動させる際に、ボルト５１が左右方向へ移動しないから、ボルト固定部５４にボルト５１を完全に係合させる作業を容易に行うことができる。
【００４３】
前記切欠き状のボルト固定部５４の開口部５４ａは、ボルト固定部５４の左右方向中心に対して圧縮機２１が配置されている前記一端部側（本実施例では右側）と反対側（つまり、左側）に形成されているため、ヒートポンプユニット３を土台部５０の上に載置する際に、圧縮機２１が重いため前記一端部側が低くなるようにヒートポンプユニット３が傾斜状態になったとしても、ボルト固定部５４をボルト５１に接近対向又は不完全に係合させることが容易であるから、４つのボルト固定部５４に４本のボルト５１を容易に能率的に係合させることができる。
【００４４】
次に、前記実施例を部分的に変更する例について説明する。
１）前記ヒートポンプユニットにおいて、圧縮機を外装ケース内の左端寄り部位に配置する場合は、ヒートポンプユニットの左側部分が重くなるため、右方に向けて開口した切欠き状のボルト固定部を設けるものとする。
【００４５】
２）前記ヒートポンプユニットのアンカー構造において、土台部の構造は前記実施例のものに限定されず、種々の構造の土台部を採用することができる。
３）前記脚部を底板に固定する構造は、前記実施例のものに限定されず、種々の手段により底板に固定することができる。
【００４６】
４）前記脚部を前側脚部と後側脚部からなる２部材で構成してもよい。
５）前記脚部は薄手の鋼板製のものに限定されず、合成樹脂製の脚部を採用することも可能である。
６）その他、当業者ならば、本発明の趣旨を逸脱することなく、前記実施例に種々の変更を付加した形態で実施可能で、本発明はそのような変更形態も包含するものである。
【符号の説明】
【００４７】
１      ヒートポンプ給湯装置
２      貯湯タンクユニット
３      ヒートポンプユニット
５      貯湯タンク
２１    圧縮機
２２    凝縮熱交換器
２３    膨張弁
２４    蒸発熱交換器
３５    外装ケース（ケース部材）
４３ａ  空気排出口
５０    土台部
５１    アンカーボルト
５２    脚部
５４    ボルト固定部
５４ａ  開口部
【図１】
2017044450.tif 000003
【図２】
2017044450.tif 000004
【図３】
2017044450.tif 000005
【図４】
2017044450.tif 000006
【図５】
2017044450.tif 000007
【図６】
2017044450.tif 000008
【図７】
2017044450.tif 000009
【図８】
2017044450.tif 000010
【図９】
2017044450.tif 000011